(57)【要約】  ケアサポートシステム（１）において、管理サーバー（１００ａ）の検知／記録情報記憶部（５０１ａ）は、検知ユニットから出力される検知情報と、スタッフ端末にて入力されて管理サーバー（１００ａ）に送られる、入居者の世話に関する記録情報とを記憶する。習熟度評価部（５０２）は、検知情報および記録情報の少なくとも一方に基づいて、スタッフが世話する作業の習熟度を評価する。通信部（５０３）は、上記習熟度の評価を示す評価情報をディレクタ端末に提供する。ディレクタ端末は、上記通信部（５０３）から提供される上記評価情報を表示する評価情報表示部としての表示部（６０３）を備える。
2019216064.tif 000002
【特許請求の範囲】
【請求項１】
日常の生活を支援する対象となる対象者の居室内に設置され、前記居室内の前記対象者の状態を検知して検知情報を出力する検知ユニットと、
前記検知ユニットから出力される前記検知情報を管理する管理サーバーと、
前記対象者を世話するスタッフによる入力操作を受け付けるスタッフ端末と、
前記スタッフを指揮監督するディレクタによる入力操作を受け付けるディレクタ端末とを含み、
前記管理サーバーは、
前記検知ユニットから出力される前記検知情報と、前記スタッフ端末にて入力されて該管理サーバーに送られる、前記対象者の世話に関する記録情報とを記憶する検知／記録情報記憶部と、
前記検知情報および前記記録情報の少なくとも一方に基づいて、前記スタッフが世話する作業の習熟度を評価する習熟度評価部と、
前記習熟度の評価を示す評価情報を前記ディレクタ端末に提供する評価情報提供部とを備えており、
前記ディレクタ端末は、前記評価情報提供部から提供される前記評価情報を表示する評価情報表示部を備えている、ケアサポートシステム。
【請求項２】
前記習熟度評価部は、前記記録情報における前記対象者の世話項目の記録内容に基づいて、前記習熟度を前記世話項目ごとに評価する、請求項１に記載のケアサポートシステム。
【請求項３】
前記検知ユニットは、前記居室内を撮影して画像を取得する撮像部を含み、
前記検知情報は、前記撮像部で取得された画像を含み、
前記習熟度評価部は、前記スタッフによる前記対象者の世話中に取得される前記画像に基づいて、前記習熟度を評価する、請求項１または２に記載のケアサポートシステム。
【請求項４】
前記スタッフを教育するメンターによって使用されるメンター端末をさらに含み、
前記管理サーバーは、前記ディレクタ端末から、前記評価情報に基づいて、メンティとしての前記スタッフの教育プランを示すプラン情報が入力されたときに、前記プラン情報を記憶するプラン情報記憶部と、
前記プラン情報を前記メンター端末に出力するプラン情報出力部とを備えており、
前記メンター端末は、前記プラン情報を表示するプラン情報表示部を備えている、請求項１から３のいずれかに記載のケアサポートシステム。
【請求項５】
日常の生活を支援する対象となる対象者の居室内に設置される検知ユニットから出力される、前記居室内の前記対象者の状態を示す検知情報と、前記対象者を世話するスタッフのスタッフ端末にて入力されて管理サーバーに送られる、前記対象者の世話に関する記録情報との少なくとも一方に基づいて、前記スタッフの作業の習熟度を評価する習熟度評価工程と、
前記習熟度の評価を示す評価情報を、前記スタッフを指揮監督するディレクタのディレクタ端末に提供する評価情報提供工程と、
前記ディレクタ端末において、前記評価情報を表示する評価情報表示工程とを含む、情報提供方法。
【請求項６】
前記習熟度評価工程では、前記記録情報における前記対象者の世話項目の記録内容に基づいて、前記習熟度を前記世話項目ごとに評価する、請求項５に記載の情報提供方法。
【請求項７】
前記検知情報は、前記検知ユニットが有する撮像部の撮影によって取得された画像を含み、
前記習熟度判断工程では、前記スタッフによる前記対象者の世話中に取得される前記画像に基づいて、前記習熟度を評価する、請求項５または６に記載の情報提供方法。
【請求項８】
前記ディレクタ端末から、前記評価情報に基づいて、メンティとしての前記スタッフの教育プランを示すプラン情報が入力されたときに、前記管理サーバーにて、前記プラン情報を記憶するプラン情報記憶工程と、
前記プラン情報を、前記スタッフを教育するメンターによって使用されるメンター端末に出力するプラン情報出力工程と、
前記メンター端末において、前記プラン情報を表示するプラン情報表示工程とを含む、請求項５から７のいずれかに記載の情報提供方法。
【発明の詳細な説明】
【技術分野】
【０００１】
本発明は、対象者の日常の生活を支援するケアサポートシステムと、そのケアサポートシステムにおける情報提供方法とに関する。
【背景技術】
【０００２】
従来から、介護施設における介護者の熟練度を評価するための装置として、例えば特許文献１に開示された評価装置がある。この評価装置では、介護者ごとに、状態情報の入力回数および被介護者の観察人数（状態情報を得た被介護者の人数）が評価情報として集計される。なお、上記状態情報には、被介護者の入浴、排泄、食事等の情報が含まれる。そして、集計された複数の介護者の評価情報が、互いに比較できる状態で出力部によって出力される。これにより、評価装置の使用者は、出力部から出力された複数の介護者の評価情報に基づいて、複数の介護者の熟練度を評価することが可能となっている。
【先行技術文献】
【特許文献】
【０００３】
【特許文献１】特開２０１７−１６３０４号公報（請求項１、段落〔００１４〕〜〔００２１〕、図１等参照）
【発明の概要】
【発明が解決しようとする課題】
【０００４】
ところが、特許文献１の技術では、評価装置の使用者自身が、出力された評価情報に基づいて、各介護者について一人ずつ習熟の評価を行わなければならず、評価を行う作業が煩わしい。したがって、使用者（例えばディレクタ）自身がメンティ（教育を受ける者）の習熟度の評価を行うことなく、メンティの習熟度を把握できるようにして、その習熟度に応じた教育を実現できるシステムを構築することが望まれる。【０００５】
また、少子高齢化の影響により、介護施設には人材が集まらず、常に人材不足状態で運営を行っている。そのため、従来のように十分に教育に時間をかけることができない。つまり、採用した人材を即時現場で活用する必要がある。また、介護業界は他の産業に比べて待遇が悪いため、人材の定着率が低い。そのため、人材の入出が頻繁に発生し、教育した人材がすぐに流動する傾向にあり、常に新しく入った人材に教育を行っているのが実態である。そのため、増々教育に時間と費用を掛けることが難しくなっている。したがって、ケアという専門職種でありながら常に人材流動しているという矛盾を孕んだ現場において、これまで均一的に行うことが難しかった習熟度評価の「効率」および「精度」を上げ、結果として、教育に掛ける時間およびコストの効率化および効果増を実現することも望まれる。しかし、このようなシステムは、未だ実現されていない。【０００６】
本発明は、上記の問題点を解決するためになされたものであり、その目的は、教育現場において、使用者（例えばディレクタ）自身がメンティの習熟度の評価を行うことなく、上記習熟度を把握でき、これによって、メンティの習熟度に応じた教育を実現することができるとともに、教育に掛ける時間およびコストの両面から、教育の効率化および効果増を実現することができるケアサポートシステムと、そのケアサポートシステムにおける情報提供方法とを提供することにある。
【課題を解決するための手段】
【０００７】
本発明の一側面に係るケアサポートシステムは、日常の生活を支援する対象となる対象者の居室内に設置され、前記居室内の前記対象者の状態を検知して検知情報を出力する検知ユニットと、前記検知ユニットから出力される前記検知情報を管理する管理サーバーと、前記対象者を世話するスタッフによる入力操作を受け付けるスタッフ端末と、前記スタッフを指揮監督するディレクタによる入力操作を受け付けるディレクタ端末とを含み、前記管理サーバーは、前記検知ユニットから出力される前記検知情報と、前記スタッフ端末にて入力されて該管理サーバーに送られる、前記対象者の世話に関する記録情報とを記憶する検知／記録情報記憶部と、前記検知情報および前記記録情報の少なくとも一方に基づいて、前記スタッフが世話する作業の習熟度を評価する習熟度評価部と、前記習熟度の評価を示す評価情報を前記ディレクタ端末に提供する評価情報提供部とを備えており、前記ディレクタ端末は、前記評価情報提供部から提供される前記評価情報を表示する評価情報表示部を備えている。【０００８】
本発明の他の側面に係る情報提供方法は、日常の生活を支援する対象となる対象者の居室内に設置される検知ユニットから出力される、前記居室内の前記対象者の状態を示す検知情報と、前記対象者を世話するスタッフのスタッフ端末にて入力されて管理サーバーに送られる、前記対象者の世話に関する記録情報との少なくとも一方に基づいて、前記スタッフの作業の習熟度を評価する習熟度評価工程と、前記習熟度の評価を示す評価情報を、前記スタッフを指揮監督するディレクタのディレクタ端末に提供する評価情報提供工程と、前記ディレクタ端末において、前記評価情報を表示する評価情報表示工程とを含む。
【発明の効果】
【０００９】
管理サーバーの習熟度評価部は、対象者の世話に関する記録情報と、居室内の対象者の状態を示す検知情報との少なくとも一方に基づいて、スタッフが世話する作業の習熟度を評価する。そして、評価情報提供部が、上記習熟度の評価を示す評価情報をディレクタ端末に提供する。スタッフがメンティとしてメンターによる教育（例えばＯＪＴ；On-The-Job Training）を受ける場合でも、ディレクタ端末にメンティの習熟度の評価が提供されるため、システムの使用者（例えばディレクタ端末の使用者であるディレクタ）は、メンティの習熟度の評価を自身で行わなくても、上記習熟度を把握することが可能となる。また、ディレクタ端末の評価情報表示部に上記評価情報が表示されるため、ディレクタは、上記評価情報を見て、メンティの習熟度に応じた教育プラン（プラン情報）をメンターに提供して、メンティの習熟度に応じた教育を実現することが可能となる。また、これまで均一的に行うことが難しかった習熟度の評価の「効率」および「精度」を上げることが可能となり、一人一人に適正な教育を効率的に実施することが可能となる。その結果、教育に掛ける時間およびコストの両面から、教育の効率化および教育効果増を実現することが可能となる。
【図面の簡単な説明】
【００１０】
【図１】本発明の実施の一形態に係る施設型のケアサポートシステムの概略の構成を示す説明図である。
【図２】上記ケアサポートシステムの動体検知ユニットが設置された居室内の様子を模式的に示す説明図である。
【図３】上記動体検知ユニットの概略の構成を示すブロック図である。
【図４】上記動体検知ユニットの光学検出部の詳細な構成を示すブロック図である。
【図５】訪問型のケアサポートシステムの概略の構成を示す説明図である。
【図６】上記施設型のケアサポートシステムが有する管理サーバーの詳細な構成を示すブロック図である。
【図７】スタッフが入居者の食事を介助したときのケア記録情報の一例を示す説明図である。
【図８】上記スタッフ入居者の水分摂取を介助したときのケア記録情報の一例を示す説明図である。
【図９】上記スタッフが入居者の車いすへの移乗を介助したときのケア記録情報の一例を示す説明図である。
【図１０】上記スタッフが入居者の車いすへの移乗を介助しているときに、上記動体検知ユニットの撮像部によって取得された画像を模式的に示す説明図である。
【図１１】上記スタッフの習熟度の評価を示す習熟度評価情報の一例を示す説明図である。
【図１２】上記ケアサポートシステムが有するスタッフ端末の詳細な構成を示すブロック図である。
【図１３】上記ケアサポートシステムが有するディレクタ端末の詳細な構成を示すブロック図である。
【図１４】上記ケアサポートシステムが有するメンター端末の詳細な構成を示すブロック図である。
【図１５】上記ケアサポートシステムにおいて実現される情報提供方法による処理の流れを示すフローチャートである。
【図１６】上記ディレクタ端末の表示部の表示画面例を示す説明図である。
【図１７】上記メンター端末の表示部の表示画面例を示す説明図である。
【発明を実施するための形態】
【００１１】
本発明の実施の一形態について、図面に基づいて説明すれば、以下の通りである。なお、本明細書において、スタッフとは、医療、介護または看護に従事する従事者であって、医療、介護または看護に関してメンター（教育者）による教育訓練を受ける者、すなわち、メンティを指す。また、対象者とは、スタッフによって日常の生活を支援またはケアする対象となる者（被介護者、患者など）を指す。また、ケアとは、医療、介護または看護に関して対象者を世話することを指す。
【００１２】
本実施形態のケアサポートシステムには、大きく分けて、施設型と、訪問型（訪問医療型、訪問介護型、訪問看護型を含む）とがある。以下、各タイプのケアサポートシステムについて順に説明する。
【００１３】
〔ケアサポートシステム（施設型）〕
図１は、本実施形態の施設型のケアサポートシステム１の概略の構成を示す説明図である。ケアサポートシステム１は、介護施設に入居している被介護者や、病院に入院している患者（被看護者）の日常の生活を支援するためのシステムであり、見守りシステムとも呼ばれている。ここでは、例として、ケアサポートシステム１が介護施設内で構築されている場合について説明する。
【００１４】
介護施設Ｓには、スタッフステーション１００および居室１０１が設けられている。スタッフステーション１００は、居室１０１に入居している入居者の生活をサポートするスタッフＴのいわゆる詰め所である。このスタッフステーション１００には、管理サーバー１００ａが設けられている。管理サーバー１００ａは、通信回線２００を介して、居室１０１に設置される後述の動体検知ユニット１０と通信可能に接続されており、中央演算処理装置（ＣＰＵ；Central Processing Unit）を含んで構成される。
【００１５】
管理サーバー１００ａは、通信回線２００を介して、動体検知ユニット１０から出力される各種の情報（例えば居室１０１内の撮影画像や入居者の生体情報（例えば呼吸状態を示すバイタルデータなどの検知情報）を受信して管理するとともに、受信した情報を表示部１００ｂ1に表示させる。これにより、スタッフステーション１００内では、スタッフＴは、表示部１００ｂ1に表示された情報を見て、入居者の状態（例えば転倒の有無や呼吸状態）を把握することができる。表示部１００ｂ1は、例えば管理サーバー１００ａと通信可能に接続されるパーソナルコンピュータ１００ｂのディスプレイで構成することができる。なお、管理サーバー１００ａは、パーソナルコンピュータ１００ｂと一体的に構成されてもよい。なお、本実施形態の情報提供方法を実現し得る管理サーバー１００ａの構成については後述する。
【００１６】
上記の通信回線２００は、例えば有線ＬＡＮ（Local Area Network）、無線ＬＡＮ、インターネット回線、携帯電話の通信専用回線などを含んで構成される。通信回線２００は、スタッフＴによる入力操作を受け付ける端末装置と通信可能なアクセスポイントＡＰ（例えばビーコン）と接続されている。なお、スタッフＴが所有する上記端末装置のことを、後述するディレクタ端末４００と区別するために、スタッフ端末３００と記載する。アクセスポイントＡＰは、例えば各居室１０１に対応して介護施設Ｓ内に設置されている。これにより、管理サーバー１００ａは、アクセスポイントＡＰとスタッフ端末３００との間の電波強度に基づいて、スタッフ端末３００を所有するスタッフＴが上記アクセスポイントＡＰに近づいたかどうか、つまり、スタッフＴの位置を認識することができる。なお、アクセスポイントＡＰは、複数の居室１０１に共通して設置されていてもよい。
【００１７】
また、スタッフＴは、スタッフ端末３００を所有しているため、スタッフ端末３００を操作することにより、管理サーバー１００ａにアクセスして種々の情報を取得し、取得した情報をスタッフ端末３００の画面に表示させて、入居者の状態を把握することが可能である。なお、上記のスタッフ端末３００としては、例えば、タブレットやスマートフォンなどの多機能型携帯端末や、ノート型パーソナルコンピュータを想定することができる。図１では、１人のスタッフＴのみを図示しているが、スタッフＴが複数人存在する場合、各スタッフＴが自身のスタッフ端末３００を操作して管理サーバー１００ａにアクセスすることにより、各自が情報を取得することが可能である。
【００１８】
また、本実施形態のケアサポートシステム１は、ディレクタＤによる入力操作を受け付ける端末装置としてのディレクタ端末４００を含んでいる。ディレクタ端末４００は、スタッフ端末３００と同様に、タブレットやスマートフォンなどの多機能型携帯端末、ノート型パーソナルコンピュータなどで構成されており、通信回線２００を介してスタッフ端末３００と通信可能に接続されている。
【００１９】
ここで、ディレクタＤとは、少なくとも１人のスタッフＴを指揮監督する、つまり、スタッフＴに対して、入居者のケアやケア以外の作業（例えば備品補充、部屋の清掃など）に関する指示や助言を与える指示者（監督者）を指し、ケアディレクタとも呼ばれる。ディレクタＤがディレクタ端末４００を操作して情報を入力すると、その情報がディレクタ端末４００から通信回線２００を介してスタッフ端末３００に送信される。上記情報をスタッフ端末３００の画面に表示させることにより、スタッフＴは、表示された情報に基づいて適切な作業を行うことができる。
【００２０】
また、ディレクタ端末４００は、通信回線２００を介して管理サーバー１００ａとも通信可能に接続されている。これにより、ディレクタＤは、ディレクタ端末４００を操作して、管理サーバー１００ａにおける動作の設定および変更を行うことが可能となる。
【００２１】
また、本実施形態のケアサポートシステム１は、メンターＭによって使用される端末装置であるメンター端末６００を含んでいる。メンター端末６００は、スタッフ端末３００と同様に、タブレットやスマートフォンなどの多機能型携帯端末、ノート型パーソナルコンピュータなどで構成されており、通信回線２００を介して管理サーバー１００ａと通信可能に接続されている。メンター端末６００には、スタッフＴの教育訓練に関して、管理サーバー１００ａから教育プランを示す情報が提供される。これにより、メンターは、メンター端末６００にて上記情報を表示させることにより、上記教育プランに沿ってスタッフＴを教育することができる。
【００２２】
居室１０１は、介護施設Ｓにおいて少なくとも１つ設けられており、図１では例として居室１０１が２つ設けられている場合を示している。居室１０１内には、入居者が使用するベッド１０２が１つ設置されている。なお、居室１０１として、ここでは１人部屋を想定しているが、２人部屋や４人部屋等の多床室であってもよい。多床室の場合、居室１０１内で過ごす入居者の数だけ、ベッド１０２が設置される。
【００２３】
また、各居室１０１には、コールボタン１０３が設置されている。コールボタン１０３は、入居者の入力操作に応じて、入居者を世話するスタッフＴを呼び出すための呼出信号を出力する操作ユニットであり、通信回線２００と接続されている。緊急時や必要なときに、入居者がコールボタン１０３を操作（例えば押圧）すると、上記呼出信号が通信回線２００を介して管理サーバー１００ａに入力され、管理サーバー１００ａからディレクタ端末４００に呼出要求（駆け付け要求）が通知される。これにより、ディレクタＤは、ディレクタ端末４００を操作して、入居者への駆け付けが可能なスタッフＴのスタッフ端末３００に、駆け付けを指示する情報を送信することができる。
【００２４】
図２は、動体検知ユニット１０が設置された居室１０１内の様子を模式的に示す説明図である。図１および図２に示すように、動体検知ユニット１０は、各居室１０１の天井部１０１ａに設置され、通信回線２００と通信可能に接続されている。なお、居室１０１内に複数のベッド１０２が設置されている場合、動体検知ユニット１０は、居室１０１内のベッド１０２に対応する数だけ設置される。
【００２５】
〔動体検知ユニット〕
次に、動体検知ユニット１０について説明する。図３は、動体検知ユニット１０の概略の構成を示すブロック図である。動体検知ユニット１０は、入居者の居室１０１内に設置され、居室１０１内の入居者の状態（例えば身体状態）を入居者とは非接触で検知する非接触センサである。この動体検知ユニット１０は、画像認識システム２０、電波検出部３０およびユニット制御部４０を備えている。動体検知ユニット１０は、電波検出部３０をはじめ、後述する光学検出部２３など、種々のセンサを備えていることから、センサボックスとも呼ばれる。
【００２６】
（電波検出部）
電波検出部３０は、電波の放射および受信によって、居室１０１内での入居者の状態を検知するセンサである。電波検出部３０は、不図示の放射部および受信部を備えており、例えば２４ＧＨｚ帯のマイクロ波を放射し、入居者にて反射してドップラーシフトした反射波を受信するマイクロ波ドップラーセンサによって構成される。これにより、電波検出部３０は、受信した反射波から、入居者の呼吸状態（呼吸数）、睡眠状態、心拍数などを生体情報（バイタルデータ）として検出することができる。
【００２７】
なお、入居者が呼吸しているとき（睡眠中も含む）、入居者の呼吸による体の微小な動き（微体動）が生じる。このため、入居者の呼吸状態や睡眠状態を検出することは、入居者の微体動を検出するのと同じである。このことから、電波検出部３０は、入居者（被検者）の微体動を検出する微体動検出部として機能しているとも言うことができる。
【００２８】
また、電波検出部３０は、電波（マイクロ波）を放射し、入居者にて反射してきた電波（反射波）の周波数と、放射した電波の周波数とを比較することにより、入居者の身体の動き（体動）を検出することもできる。なお、電波検出部３０は、体動および微体動のどちらか一方のみを検出するセンサであってもよい。
【００２９】
（ユニット制御部）
ユニット制御部４０は、画像認識システム２０および電波検出部３０の動作を制御するとともに、画像認識システム２０および電波検出部３０から得た情報に対して画像処理や信号処理を行い、得られた結果を入居者の状態に関する情報として管理サーバー１００ａに出力する制御基板である。
【００３０】
ユニット制御部４０は、主制御部４１、情報処理部４２、インターフェース部４３、記憶部２４および画像認識部２５を備えている。記憶部２４および画像認識部２５は、ここではユニット制御部４０に設けられているが、ユニット制御部４０とは独立して設けられていてもよい。なお、記憶部２４および画像認識部２５の詳細については後述する。
【００３１】
主制御部４１は、動体検知ユニット１０内の各部の動作を制御するＣＰＵで構成されている。情報処理部４２および画像認識部２５は、上記のＣＰＵで構成されてもよいし（主制御部４１と一体化されていてもよいし）、他の演算部や、特定の処理を行う回路で構成されてもよい。
【００３２】
情報処理部４２は、画像認識システム２０の後述する光学検出部２３から出力される情報（例えば画像データ）や、電波検出部３０から出力される情報（例えば呼吸状態に関するデータ）に対して、所定のアルゴリズムに基づいた信号処理を行う。信号処理によって得られた情報は、画像認識システム２０（特に画像認識部２５）での画像認識に利用される。
【００３３】
インターフェース部４３には、通信回線２００のネットワークケーブル（不図示）が電気的に接続される。画像やマイクロ波に基づいて動体検知ユニット１０が検出した入居者の状態に関する情報は、インターフェース部４３および通信回線２００を介して管理サーバー１００ａに送信される。
【００３４】
（画像認識システム）
画像認識システム２０は、照明部２１、照明制御部２２および光学検出部２３を備えている。
【００３５】
照明部２１は、暗闇での撮影を可能にすべく、赤外線（例えば近赤外光）を発光するＬＥＤ（Light Emitting Diode）を含んで構成されており、居室１０１の天井部１０１ａに位置して、居室１０１内を照明する。例えば、照明部２１は、複数のＬＥＤを有しており、居室１０１内の床面１０１ｂ（図２参照）や、天井部１０１ａと床面１０１ｂとをつなぐ壁を照明する。照明部２１による照明（赤外線の発光）の制御は、照明制御部２２によって行われる。
【００３６】
光学検出部２３は、照明部２１の照明のもとで居室１０１内を撮影して画像を取得する撮像部であり、特に、居室１０１内の入居者を撮影して赤外画像を取得する赤外画像センサである。光学検出部２３で取得された居室１０１内の画像の情報（画像データ）は、後述する記憶部２４に一時的に記憶された後、例えば管理サーバー１００ａからの送信要求に基づいて管理サーバー１００ａに送信される。光学検出部２３の詳細な構成は、以下の通りである。
【００３７】
図４は、光学検出部２３の詳細な構成を示すブロック図である。光学検出部２３は、居室１０１の天井部１０１ａに、照明部２１と隣接して配置されており、撮影によって視野方向が直下である直上視点の画像を取得する。この光学検出部２３は、レンズ５１、撮像素子５２、ＡＤ（analog/digital）変換部５３、画像処理部５４および制御演算部５５を備えている。
【００３８】
レンズ５１は、例えば固定焦点レンズであり、一般的な超広角レンズや魚眼レンズで構成されている。超広角レンズとしては、対角画角が１５０°以上のレンズを用いることができる。これにより、天井部１０１ａから床面１０１ｂに向かって居室１０１内を撮影することが可能となる。
【００３９】
撮像素子５２は、例えばＣＣＤ（Charge Coupled Device）やＣＭＯＳ（Complementary Metal Oxide Semiconductor）といったイメージセンサで構成されている。撮像素子５２は、真っ暗な環境でも入居者の状態が画像として検出できるように、ＩＲカットフィルタを除去して構成されている。撮像素子５２からの出力信号は、ＡＤ変換部５３に入力される。
【００４０】
ＡＤ変換部５３は、撮像素子５２によって撮像された画像のアナログの画像信号を受信し、そのアナログの画像信号をデジタルの画像信号に変換する。ＡＤ変換部５３から出力されるデジタルの画像信号は、画像処理部５４に入力される。
【００４１】
画像処理部５４は、ＡＤ変換部５３から出力されるデジタルの画像信号を受信し、そのデジタルの画像信号に対して、例えば黒補正、ノイズ補正、色補間、ホワイトバランスなどの画像処理を実行する。画像処理部５４から出力される画像処理後の信号は、画像認識部２５に入力される。
【００４２】
制御演算部５５は、撮像素子５２の制御に関する例えばＡＥ（Automatic Exposure）などの演算を実行するとともに、撮像素子５２に対して露光時間やゲインなどの制御を実行する。また、制御演算部５５は、必要に応じて、照明部２１に対して好適な光量設定や配光設定などの演算を実行するとともに、制御を実行する。なお、制御演算部５５に、上述の照明制御部２２の機能を持たせるようにしてもよい。
【００４３】
上記した画像認識システム２０は、さらに、上述した記憶部２４および画像認識部２５を備えている。
【００４４】
記憶部２４は、ユニット制御部４０が実行する制御プログラムや各種の情報を記憶するメモリであり、例えばＲＡＭ（Random Access Memory）、ＲＯＭ（Read Only Memory）、不揮発性メモリなどで構成されている。
【００４５】
画像認識部２５は、光学検出部２３にて取得された画像の画像データに対して画像認識処理を行う。より具体的には、画像認識部２５は、光学検出部２３の画像処理部５４が画像処理を実行した後の画像データに対して、例えば対象物の輪郭を抽出してパターンマッチング等の手法で形状を認識する画像認識処理を実行する。これにより、画像認識部２５は、居室１０１内にいる入居者の状態を認識することができる。居室１０１内にいる入居者の状態としては、起床、離床、入床（臥床）、転倒などを想定できる。その他、画像認識部２５は、パターンマッチング等によって人間の頭部の形状を認識することができ、これによって、居室１０１内に存在する人間の数（特に居室１０１内に複数人が存在するか否か）を検知（把握）することもできる。
【００４６】
〔ケアサポートシステム（訪問型）〕
図５は、訪問型のケアサポートシステム１の概略の構成を示す説明図である。訪問型のケアサポートシステム１は、入居者や被看護者などの、健康を管理する対象者のそれぞれの自宅（例えば居室１１０）に上述した動体検知ユニット１０を設置し、各動体検知ユニット１０を、通信回線２００を介して管理サーバー１００ａ等と通信可能に接続して構成されており、建物ごとに動体検知ユニット１０を設置した点を除けば、施設型のケアサポートシステム１と基本的な構成は同じである。
【００４７】
訪問型のケアサポートシステム１では、スタッフＴが所有するスタッフ端末３００は、ＧＰＳ（global positioning system）機能を有していることが望ましい。この場合、管理サーバー１００ａは、スタッフ端末３００と通信してスタッフ端末３００の位置を認識することができる。
【００４８】
〔管理サーバーの詳細な構成〕
次に、上述した管理サーバー１００ａの詳細な構成について説明する。なお、以下では、施設型のケアサポートシステム１を例として説明するが、訪問型のケアサポートシステム１でも同様の構成を適用することができる。
【００４９】
図６は、管理サーバー１００ａの詳細な構成を示すブロック図である。管理サーバー１００ａは、記憶部５０１と、習熟度評価部５０２と、通信部５０３と、制御部５０４とを含んでいる。制御部５０４は、管理サーバー１００ａの各部の動作を制御するＣＰＵで構成されている。
【００５０】
記憶部５０１は、例えばハードディスクで構成されており、制御部５０４が実行する動作プログラムを記憶している。この記憶部５０１は、検知／記録情報記憶部５０１ａと、プラン情報記憶部５０１ｂとを有している。検知／記録情報記憶部５０１ａには、動体検知ユニット１０から出力される検知情報が記憶される。上記検知情報には、例えば、被介護者の日々の体温、体動（動き、単位時間あたりの動きの回数、動きの量を含む）、微体動（呼吸数）、血圧、睡眠状態などの生体情報（バイタルデータ）や、撮像部としての光学検出部２３での撮影によって取得された画像情報および画像認識部２５での画像認識結果などが含まれる。なお、上記検知情報は、管理サーバー１００ａ（例えば制御部５０４）からの情報の送信要求に応じて、動体検知ユニット１０から管理サーバー１００ａに送信されてもよいし、動体検知ユニット１０から自動的に管理サーバー１００ａに送信されてもよい。
【００５１】
また、検知／記録情報記憶部５０１ａには、入居者のケアに関する記録であるケア記録情報が記憶される。上記のケア記録情報は、例えばスタッフＴのスタッフ端末３００上で入力されて管理サーバー１００ａに送信されることで、記憶部５０１ａに記憶されるが、パーソナルコンピュータ１００ｂで入力されて記憶部５０１ａに記憶されてもよい。このケア記録情報には、例えば入居者の食事や水分摂取を介助したときの情報、入居者の車いすへの移乗を介助したときの情報、などが含まれる。
【００５２】
図７は、入居者の食事を介助したときに、スタッフ端末３００から管理サーバー１００ａに送信されて検知／記録情報記憶部５０１ａに記憶されたケア記録情報の一例を示している。同図に示すように、食事を介助したときのケア記録情報には、例えば入居者が食べた主食および副食の種類（主食量、副食量でもよい）、食事を介助した時間（ケア実施時間）が含まれる。
【００５３】
図８は、入居者の水分摂取を介助したときに、スタッフ端末３００から管理サーバー１００ａに送信されて検知／記録情報記憶部５０１ａに記憶されたケア記録情報の一例を示している。同図に示すように、水分摂取を介助したときのケア記録情報には、朝食、昼食、夕食、およびそれ以外の時間帯で、入居者が摂取した水分量が含まれる。
【００５４】
図９は、入居者の車いすへの移乗を介助したときに、スタッフ端末３００から管理サーバー１００ａに送信されて検知／記録情報記憶部５０１ａに記憶されたケア記録情報の一例を示している。同図に示すように、車いすへの移乗に関するケア記録情報には、移乗に要した時間、介助が適切であったかどうか（スタッフの自己評価（○；うまくできた、△；うまくできなかった、×；全くできなかった））、移乗に関して入居者からの注文（移乗しやすくするための指示）があったかどうか、などが含まれる。
【００５５】
その他、図示はしないが、入居者の排泄時、入浴時、着替え時、洗顔時などにおける介助の情報についても、ケア記録情報として検知／記録情報記憶部５０１ａに記憶される。
【００５６】
プラン情報記憶部５０１ｂは、ディレクタ端末４００から、後述する習熟度評価情報に基づいて、メンティとしてのスタッフＴの教育プランを示すプラン情報が入力されたときに、上記プラン情報を記憶する。例えば、食事、水分摂取、洗顔、着替え、入浴、などに関する複数の介助項目（世話項目）のうち、スタッフＴに対してどの項目についての介助教育を優先して行うか、複数の項目についての介助教育をどの順序で行うべきか、各項目についての介助教育を行う日時、などの情報が、上記のプラン情報としてプラン情報記憶部５０１ｂに記憶される。
【００５７】
習熟度評価部５０２は、例えばＣＰＵで構成され、検知／記録情報記憶部５０１ａに記憶された上記の検知情報およびケア記録情報の少なくとも一方に基づいて、スタッフＴがケアする作業の習熟度を評価する。なお、制御部５０４が習熟度評価部５０２を兼ねていてもよい。
【００５８】
例えば、図１０は、スタッフＴが入居者の車いすへの移乗を介助しているときに、動体検知ユニット１０の光学検出部２３（撮像部）により、居室１０１内を撮影して取得された画像を模式的に示している。習熟度評価部５０２は、画像認識機能を有しており、スタッフＴがベッド１０２から離れた位置で入居者Ａを車いすに移乗させていることを上記画像から認識することができる。この場合、入居者Ａをベッド１０２から車いすの位置まで歩かせる負担が大きいと考えられる。そこで、習熟度評価部５０２は、上記画像に基づいて、車いすへの移乗に関して、スタッフＴの習熟が足りない（例えばＣランク）と判断（評価）することができる。
【００５９】
また、習熟度評価部５０２は、図９で示したケア記録情報のみに基づいて、スタッフＴの習熟度を評価することもできる。つまり、習熟度評価部５０２は、図９のケア記録情報から、ベッドから車いすへの移乗に１５分も時間がかかっていること、自己評価が△であること、入居者からの注文があったことを認識できる。したがって、習熟度評価部５０２は、例えば、これらの情報（移乗時間、自己評価、注文の有無）を数値化して（例えば１、２、３などに数値化して）その合計や平均値を指標として算出することにより、上記指標に基づいて、車いすへの移乗に関するスタッフＴの習熟度を評価することができる。その際に、習熟度評価部５０２は、上記の指標を閾値と比較して、スタッフＴの習熟度の評価を複数のランク（例えばＡランク、Ｂランク、Ｃランクのいずれか）で示すことも可能である。例えば、上記指標が第１の閾値以上であればＡランク、第１の閾値と第２の閾値との間であればＢランク、第２の閾値未満ではＣランク、などのように、習熟度を表す（評価する）ことができる。
【００６０】
さらに、習熟度評価部５０２は、図１０の画像と図９のケア記録情報との両方に基づいて、スタッフＴの習熟度を評価することもできる。例えば、ケア記録情報に基づく習熟度の評価は良好（例えばＡランク）であったが、画像に基づく習熟度の評価が悪かった場合（例えばＣランク）、その悪いほう（Ｃランク）の評価を最終的に習熟度の評価として採用することができる。
【００６１】
また、図７に示した食事に関するケア記録情報の例では、習熟度評価部５０２は、主食の有無、副食の有無、ケア実施時間を上記と同様に数値化して指標を算出し、これを閾値と比較することにより、食事の介助に関するスタッフＴの習熟度をＡ〜Ｃのランクで評価することができる。さらに、図８に示した水分摂取に関するケア記録情報の例では、習熟度評価部５０２は、入居者の１日の水分摂取量および摂取回数に基づいて指標を算出し、これを閾値と比較することにより、水分摂取の介助に関するスタッフＴの習熟度をＡ〜Ｃのランクで評価することができる。
【００６２】
図１１は、習熟度評価部５０２によって取得される、スタッフＴの習熟度の評価を示す習熟度評価情報（以下、評価情報とも記載する）の一例を示している。同図では、介助項目（世話項目）として、上述した食事、水分摂取、車いすへの移乗を考え、これらについての習熟度の評価を、Ａ、Ｂ、Ｃの３ランクで表した場合を示している。メンターにより、ＯＪＴによるスタッフＴ（メンティ）の現場教育が４月１日から始まったとすると、スタッフＴの日々の習熟度の評価が、習熟度評価部５０２によって自動的に取得されることになる。
【００６３】
通信部５０３は、外部との通信インターフェースであり、入出力ポートのほか、必要に応じて、送信回路、受信回路、アンテナ等を含んで構成されている。特に、通信部５０３は、習熟度評価部５０２によって取得された習熟度の評価情報をディレクタ端末４００に提供する評価情報提供部として機能する。また、通信部５０３は、プラン情報記憶部５０１ｂに記憶されたプラン情報を、メンター端末６００に出力するプラン情報出力部としても機能する。
【００６４】
〔スタッフ端末の構成〕
図１２は、スタッフ端末３００の詳細な構成を示すブロック図である。スタッフ端末３００は、記憶部３０１と、入力部３０２と、表示部３０３と、通信部３０４と、制御部３０５とを有して構成されている。制御部３０５は、スタッフ端末３００の各部の動作を制御するＣＰＵで構成されている。
【００６５】
記憶部３０１は、制御部３０５が実行する動作プログラムや各種の情報を記憶するメモリであり、例えばＲＡＭ、ＲＯＭ、不揮発性メモリなどで構成されている。入力部３０２は、スタッフＴによる入力操作を受け付けるタッチパネル入力デバイスで構成されている。スタッフＴが行った入居者のケアに関するケア記録情報は、入力部３０２を操作することによって入力される。表示部３０３は、各種の情報を表示するデバイスであり、例えば液晶表示装置で構成され、上記の入力部３０２と一体的に構成されている。通信部３０４は、外部との通信インターフェースであり、送信回路、受信回路、アンテナ等を含んで構成されている。入力部３０２によって入力された上記のケア記録情報は、通信部３０４から管理サーバー１００ａに送られる。
【００６６】
〔ディレクタ端末の構成〕
図１３は、ディレクタ端末４００の詳細な構成を示すブロック図である。ディレクタ端末４００は、記憶部４０１と、入力部４０２と、表示部４０３と、通信部４０４と、制御部４０５とを有して構成されている。制御部４０５は、ディレクタ端末４００の各部の動作を制御するＣＰＵで構成されている。
【００６７】
記憶部４０１は、制御部４０５が実行する動作プログラムや各種の情報を記憶するメモリであり、例えばＲＡＭ、ＲＯＭ、不揮発性メモリ、ハードディスクなどで構成されている。入力部４０２は、ディレクタＤによる入力操作を受け付けるデバイスである。入力部４０２は、ディレクタ端末４００がパーソナルコンピュータで構成される場合、キーボード、マウス、タッチパッドなどで構成され、ディレクタ端末４００がスマートフォンなどで構成される場合、タッチパネル入力デバイスで構成される。ディレクタＤは、入力部４０２を操作して、スタッフＴの教育プランを入力することができる。
【００６８】
表示部４０３は、各種の情報を表示するデバイスであり、例えば液晶表示装置で構成される。この表示部４０３は、管理サーバー１００ａの通信部５０３（評価情報提供部、図６参照）から提供される習熟度の評価情報を表示する評価情報表示部を構成している。通信部４０４は、外部との通信インターフェースであり、入出力ポートのほか、送信回路、受信回路、アンテナ等を含んで構成されている。入力部４０２によって入力した、スタッフＴの教育プランに関する情報は、通信部４０４から管理サーバー１００ａに出力される。
【００６９】
〔メンター端末の構成〕
図１４は、メンター端末６００の詳細な構成を示すブロック図である。メンター端末６００は、記憶部６０１と、入力部６０２と、表示部６０３と、通信部６０４と、制御部６０５とを有して構成されている。制御部６０５は、メンター端末６００の各部の動作を制御するＣＰＵで構成されている。
【００７０】
記憶部６０１は、制御部６０５が実行する動作プログラムや各種の情報を記憶するメモリであり、例えばＲＡＭ、ＲＯＭ、不揮発性メモリなどで構成されている。入力部６０２は、メンターＭによる入力操作を受け付けるタッチパネル入力デバイスで構成されている。表示部６０３は、各種の情報を表示するデバイスであり、例えば液晶表示装置で構成され、上記の入力部６０２と一体的に構成されている。特に、表示部６０３は、管理サーバー１００ａから、スタッフＴの教育プランに関するプラン情報が入力されたときに、上記プラン情報を表示するプラン情報表示部を構成している。通信部６０４は、外部との通信インターフェースであり、送信回路、受信回路、アンテナ等を含んで構成されている。
【００７１】
〔情報提供方法について〕
次に、上記構成のケアサポートシステム１において実現される情報提供方法について説明する。図１５は、上記情報提供方法による処理の流れを示すフローチャートである。なお、ここでは、介護施設ＳがＯＪＴの教育現場であり、入居者のケアに関して、メンターＭがスタッフＴ（メンティ）を教育することを想定する。
【００７２】
まず、居室１０１内に設置された動体検知ユニット１０から、管理サーバー１００ａに対して、検知情報が出力される（Ｓ１）。なお、上記の検知情報には、光学検出部２３によって取得された画像の情報が含まれる。したがって、スタッフＴが入居者に対してケアを実施（訓練）しているとき、そのケアを実施している様子を示す動画のデータが検知情報として、管理サーバー１００ａに出力される。
【００７３】
また、スタッフＴが入居者に対してケアを実施した後、スタッフ端末３００にて入居者のケア記録情報を入力すると、入力したケア記録情報が管理サーバー１００ａに出力される（Ｓ２）。管理サーバー１００ａでは、上記の検知情報およびケア記録情報が、検知／記録情報記憶部５０１ａに記憶される（Ｓ３）。
【００７４】
続いて、管理サーバー１００ａの習熟度評価部５０２は、検知／記録情報記憶部５０１ａに記憶された検知情報およびケア記録情報の少なくとも一方に基づいて、例えば上述した手法により、スタッフＴがケアする作業の習熟度を評価する（Ｓ４；習熟度評価工程）。習熟度評価部５０２による評価の結果は、図１１で示したような習熟度の評価情報として得られる。上記の評価情報は、制御部５０５の制御のもとで、通信部５０４からディレクタ端末４００に提供される（Ｓ５；評価情報提供工程）。
【００７５】
ディレクタ端末４００では、管理サーバー１００ａから提供された評価情報が表示部４０３に表示される（Ｓ６；評価情報表示工程）。図１６は、ディレクタ端末４００の表示部４０３の表示画面の一例を示している。ディレクタＤは、表示部４０３に表示された評価情報に基づいて、スタッフＴのケアに関する習熟度を把握し、スタッフＴに対する今後の教育プランを考えることができる。
【００７６】
ディレクタＤがディレクタ端末４００の入力部４０２を操作して今後の教育プランを示すプラン情報を入力すると（Ｓ７）、そのプラン情報は、ディレクタ端末４００（通信部４０４）から管理サーバー１００ａに出力され（Ｓ８）、プラン情報記憶部５０２ｂに記憶される（Ｓ９；プラン情報記憶工程）。そして、管理サーバー１００ａ（通信部５０３）からメンター端末６００にプラン情報が出力されると（Ｓ１０；プラン情報出力工程）、メンター端末６００の表示部６０３にプラン情報が表示される（Ｓ１１；プラン情報表示工程）。
【００７７】
図１７は、メンティ端末６００の表示部６０３の表示画面の一例を示している。メンターＭは、表示部６０３に表示されたプラン情報（教育プラン）を見て、すぐに対処できる場合は、入力部６０２の「了解」ボタンを押圧し、何らかの事情ですぐに対処できない場合は、入力部６０２の「拒否」ボタンを押圧して管理サーバー１００ａに返信し、管理サーバー１００ａまたはディレクタ端末４００からの再度の指示やプラン情報の提示を待つことになる。
【００７８】
以上のように、管理サーバー１００ａの習熟度評価部５０２は、スタッフＴによって入力され、記憶部５０１（検知／記録情報記憶部５０１ａ）に記憶されたケア記録情報と、居室１０１内の入居者の状態を示す検知情報との少なくとも一方に基づいて、スタッフＴの作業の習熟度を評価する（Ｓ４）。そして、評価情報が通信部５０３からディレクタ端末４００に提供される。このように、管理サーバー１００ａにて、スタッフＴの習熟度が自動的に評価されてディレクタ端末４００に提供されるため、ディレクタＤは、習熟度の評価を自身で行わなくても、スタッフＴの習熟度を把握することができる。また、ディレクタ端末４００の表示部４０３に上記の評価情報が表示されるため、ディレクタＤは、上記評価情報を見て、メンティであるスタッフＴの習熟度に応じた教育プランをメンターＭに提供して、スタッフＴの習熟度に応じた教育を実現することが可能となる。また、習熟度評価部５０２がケア記録情報および検知情報の少なくとも一方に基づいて、スタッフＴの作業の習熟度を評価することにより、これまで均一的に行うことが難しかった習熟度の評価の「効率」および「精度」を上げることが可能となる。その結果、メンティであるスタッフＴの一人一人に適正な教育を効率的に実施することが可能となり、教育に掛ける時間およびコストの両面から、教育の効率化および教育効果増を実現することが可能となる。
【００７９】
また、管理サーバー１００ａの習熟度評価部５０２は、ケア記録情報における入居者の介助項目の記録内容に基づいて、習熟度を介助項目ごとに評価する（図１１参照）。これにより、介助項目ごとに習熟度の評価を示した評価情報が得られるため、この評価情報をディレクタ端末４００に出力して表示部４０３で表示させたときに、ディレクタＤは、各介助項目ごとにスタッフＴの習熟度を細かく把握することができる。また、ディレクタＤは、単一の介助項目についての教育プランのみならず、複数の介助項目についての教育プランを、各介助項目の優先度を考慮して提示することも可能となる。
【００８０】
また、習熟度評価部５０２は、スタッフＴによる入居者のケア中に光学検出部２３によって取得される画像に基づいて、習熟度を評価する。この場合、習熟度評価部５０２は、上記画像に基づいて、居室１０１内で行うケアの位置、入居者との位置関係など、ケア記録情報では認識できない情報を的確に認識して、習熟度を的確に評価することができる。
【００８１】
また、管理サーバー１００ａでは、ディレクタ端末４００からスタッフＴの教育プランを示すプラン情報が入力されたときに（Ｓ８）、上記プラン情報がプラン情報記憶部５０２ｂに記憶される（Ｓ９）。そして、上記プラン情報は、通信部４０４からメンター端末６００に出力され（Ｓ１０）、メンター端末６００の表示部６０３にて表示される（Ｓ１１）。これにより、メンターＭは、表示部６０３に表示されたプラン情報にしたがって、スタッフＴの習熟度に応じた教育を行うことが可能となる。
【００８２】
なお、本実施形態では、ケアサポートシステム１を介護施設に適用した例について説明したが、病院や診療所などの医療機関にも勿論適用可能である。
【００８３】
〔その他〕
以上で説明した本実施形態のケアサポートシステムおよび情報提供方法は、以下のように表現されてもよい。
【００８４】
本実施形態のケアサポートシステムは、日常の生活を支援する対象となる対象者の居室内に設置され、前記居室内の前記対象者の状態を検知して検知情報を出力する検知ユニットと、前記検知ユニットから出力される前記検知情報を管理する管理サーバーと、前記対象者を世話するスタッフによる入力操作を受け付けるスタッフ端末と、前記スタッフを指揮監督するディレクタによる入力操作を受け付けるディレクタ端末とを含み、前記管理サーバーは、前記検知ユニットから出力される前記検知情報と、前記スタッフ端末にて入力されて該管理サーバーに送られる、前記対象者の世話に関する記録情報とを記憶する検知／記録情報記憶部と、前記検知情報および前記記録情報の少なくとも一方に基づいて、前記スタッフが世話する作業の習熟度を評価する習熟度評価部と、前記習熟度の評価を示す評価情報を前記ディレクタ端末に提供する評価情報提供部とを備えており、前記ディレクタ端末は、前記評価情報提供部から提供される前記評価情報を表示する評価情報表示部を備えている。
【００８５】
上記のケアサポートシステムにおいて、前記習熟度評価部は、前記記録情報における前記対象者の世話項目の記録内容に基づいて、前記習熟度を前記世話項目ごとに評価してもよい。
【００８６】
上記のケアサポートシステムにおいて、前記検知ユニットは、前記居室内を撮影して画像を取得する撮像部を含み、前記検知情報は、前記撮像部で取得された画像を含み、前記習熟度評価部は、前記スタッフによる前記対象者の世話中に取得される前記画像に基づいて、前記習熟度を評価してもよい。
【００８７】
上記のケアサポートシステムは、前記スタッフを教育するメンターによって使用されるメンター端末をさらに含み、前記管理サーバーは、前記ディレクタ端末から、前記評価情報に基づいて、メンティとしての前記スタッフの教育プランを示すプラン情報が入力されたときに、前記プラン情報を記憶するプラン情報記憶部と、前記プラン情報を前記メンター端末に出力するプラン情報出力部とを備えており、前記メンター端末は、前記プラン情報を表示するプラン情報表示部を備えていてもよい。
【００８８】
本実施形態の情報提供方法は、日常の生活を支援する対象となる対象者の居室内に設置される検知ユニットから出力される、前記居室内の前記対象者の状態を示す検知情報と、前記対象者を世話するスタッフのスタッフ端末にて入力されて管理サーバーに送られる、前記対象者の世話に関する記録情報との少なくとも一方に基づいて、前記スタッフの作業の習熟度を評価する習熟度評価工程と、前記習熟度の評価を示す評価情報を、前記スタッフを指揮監督するディレクタのディレクタ端末に提供する評価情報提供工程と、前記ディレクタ端末において、前記評価情報を表示する評価情報表示工程とを含む。
【００８９】
上記の情報提供方法において、前記習熟度評価工程では、前記記録情報における前記対象者の世話項目の記録内容に基づいて、前記習熟度を前記世話項目ごとに評価してもよい。
【００９０】
上記の情報提供方法において、前記検知情報は、前記検知ユニットが有する撮像部の撮影によって取得された画像を含み、前記習熟度判断工程では、前記スタッフによる前記対象者の世話中に取得される前記画像に基づいて、前記習熟度を評価してもよい。
【００９１】
上記の情報提供方法は、前記ディレクタ端末から、前記評価情報に基づいて、メンティとしての前記スタッフの教育プランを示すプラン情報が入力されたときに、前記管理サーバーにて、前記プラン情報を記憶するプラン情報記憶工程と、前記プラン情報を、前記スタッフを教育するメンターによって使用されるメンター端末に出力するプラン情報出力工程と、前記メンター端末において、前記プラン情報を表示するプラン情報表示工程とを含んでいてもよい。
【００９２】
以上、本発明の実施形態につき説明したが、本発明の範囲はこれに限定されるものではなく、発明の主旨を逸脱しない範囲で種々の変更を加えて実施することができる。
【産業上の利用可能性】
【００９３】
本発明は、例えば介護施設の入居者または病院の患者の日常の生活を支援するケアサポートシステムに利用可能である。
【符号の説明】
【００９４】
１      ケアサポートシステム
１０      動体検知ユニット（検知ユニット）
２３      光学検出部（撮像部）
１００ａ    管理サーバー
１０１      居室
３００      スタッフ端末
３０３      表示部（指示情報表示部）
４００      ディレクタ端末
４０３      表示部（評価情報表示部）
５０１ａ    検知／記録情報記憶部
５０１ｂ    プラン情報記憶部
５０２      習熟度評価部
５０３      評価情報提供部、プラン情報出力部
６００      メンター端末
６０３      表示部（プラン情報表示部）
Ｄ      ディレクタ
Ｍ      メンター
Ｔ      スタッフ
【図１】
2019216064.tif 000003
【図２】
2019216064.tif 000004
【図３】
2019216064.tif 000005
【図４】
2019216064.tif 000006
【図５】
2019216064.tif 000007
【図６】
2019216064.tif 000008
【図７】
2019216064.tif 000009
【図８】
2019216064.tif 000010
【図９】
2019216064.tif 000011
【図１０】
2019216064.tif 000012
【図１１】
2019216064.tif 000013
【図１２】
2019216064.tif 000014
【図１３】
2019216064.tif 000015
【図１４】
2019216064.tif 000016
【図１５】
2019216064.tif 000017
【図１６】
2019216064.tif 000018
【図１７】
2019216064.tif 000019
【国際調査報告】
2019216064.tif 000020
2019216064.tif 000021
2019216064.tif 000022
2019216064.tif 000023